(57)【要約】【課題】仕切板と押込板用ボス部との間での塵芥のつまりを防止する。【解決手段】塵芥投入箱の両側壁に前方上方より後方下部に向かって傾斜する案内溝部材に沿って上下方向に摺動自在な摺動板９を設ける。この摺動板９に、押込板１５の一端が連結される押込板用ボス部９ａと、仕切板７に沿って上下に延び該仕切板７に対向する前壁２１と、この前壁２１に連続して前壁２１の延長線よりも下方に向かって前方へ傾斜するように延び、下端が押込板用ボス部９ａの外周に連続する傾斜壁２２とを設ける。【選択図】図１
2018122966.tif 000002
【特許請求の範囲】
【請求項１】
塵芥収容箱の後方開口部に連設される塵芥投入箱と、
上記塵芥投入箱の両側壁に設けられ、前方上方より後方下部に向かって傾斜する案内溝部材と、
上記案内溝部材に沿って上下方向に摺動自在な摺動板と、
上記摺動板に前後方向に揺動自在に設けられた押込板と、
上記案内溝部材に沿って上下方向に延び、下方に上記後方開口部に連通する塵芥押込口を形成する仕切板とを備え、
上記摺動板は、
上記押込板の一端が連結される押込板用ボス部と、
上記仕切板に沿って上下に延び該仕切板に対向する前壁と、
上記前壁に連続して該前壁の延長線よりも下方に向かって前方へ傾斜するように延び、下端が上記押込板用ボス部の外周に連続する傾斜壁とを備えている
ことを特徴とする塵芥積込装置。
【請求項２】
請求項１に記載の塵芥積込装置において、
上記仕切板には、上下に延びる凹溝が凹陥され、
上記摺動板の前壁には、上記凹溝に嵌まり込む凸条が形成されており、
上記凸条の下端は、上記傾斜壁に結合されると共に、上記押込板用ボス部の外周に結合されている
ことを特徴とする塵芥積込装置。
【発明の詳細な説明】
【技術分野】
【０００１】
本発明は、塵芥収容箱に連設され、塵芥投入口から投入された塵芥を該塵芥収容箱に押し込む塵芥積込装置に関し、特にその摺動板の構造に関する。
【背景技術】
【０００２】
従来より、塵芥収容箱の後方開口部に連設される塵芥投入箱と、この塵芥投入箱の両側壁に設けられ、前方上方より後方下部に向かって傾斜する案内溝部材と、この案内溝部材に沿って上下方向に摺動自在な摺動板と、この摺動板を摺動させる左右一対の摺動シリンダと、摺動板に前後方向に揺動自在に設けられた押込板と、この押込板を揺動させる左右一対の揺動シリンダとを備えた塵芥積込装置が知られている。
【０００３】
例えば特許文献１及び２のように、押込板を支持する押込板用ボス部の位置は、押込板でできるだけ奥まで塵芥を押し込めるように等の理由により、仕切板の延長線よりも前方へ設けるようになっている。
【先行技術文献】
【特許文献】
【０００４】
【特許文献１】特許第５２５９３２０号公報（特に図５）
【特許文献２】特開２０１１−１１８５６号公報
【発明の概要】
【発明が解決しようとする課題】
【０００５】
図８に拡大して示すように、特許文献１及び２のような構成では、摺動板前壁の下端２２’は通常製造しやすい、仕切板７’下端との接触を避ける等の理由により、押込板用ボス部９ａ’の外周にほぼ垂直に連結されている。すると、この仕切板７’の下端と押込板用ボス部９ａ’の外周とでできる隅角部７ａ’に塵芥がつまりやすいという問題がある。
【０００６】
本発明は、かかる点に鑑みてなされたものであり、その目的とするところは、仕切板と押込板用ボス部との間での塵芥のつまりを防止することにある。
【課題を解決するための手段】
【０００７】
上記の目的を達成するために、この発明では、押込板用ボス部の周辺の構造に工夫を加えた。
【０００８】
具体的には、第１の発明では、塵芥収容箱の後方開口部に連設される塵芥投入箱と、
上記塵芥投入箱の両側壁に設けられ、前方上方より後方下部に向かって傾斜する案内溝部材と、
上記案内溝部材に沿って上下方向に摺動自在な摺動板と、
上記摺動板に前後方向に揺動自在に設けられた押込板と、
上記案内溝部材に沿って上下方向に延び、下方に上記後方開口部に連通する塵芥押込口を形成する仕切板とを備え、
上記摺動板は、
上記押込板の一端が連結される押込板用ボス部と、
上記仕切板に沿って上下に延び該仕切板に対向する前壁と、
上記前壁に連続して該前壁の延長線よりも下方に向かって前方へ傾斜するように延び、下端が上記押込板用ボス部の外周に連続する傾斜壁とを備えている。
【０００９】
上記の構成によると、摺動板の前壁下端に設けた傾斜壁が前壁下端と押込板用ボス部の外周とを滑らかに連続させた状態で覆うので、仕切板下端との間に塵芥が挟み込まれても、その塵芥が押込板用ボス部と仕切板下端との間につまることはない。
【００１０】
第２の発明では、第１の発明において、
上記仕切板には、上下に延びる凹溝が凹陥され、
上記摺動板の前壁には、上記凹溝に嵌まり込む凸条が形成されており、
上記凸条の下端は、上記傾斜壁に結合されると共に、上記押込板用ボス部の外周に結合されている。
【００１１】
上記の構成によると、塵芥が張り付かないようにするため等により、仕切板と摺動板の前壁とにそれぞれ凹溝と凸条とを設けた構成においても、凸条の下端において傾斜壁により塵芥のつまりが効果的に防止される。
【発明の効果】
【００１２】
以上説明したように、本発明によれば、摺動板の前壁に連続して前壁から下方に向かって前方へ傾斜するように延びる傾斜壁を設け、その下端が押込板用ボス部の外周に連続するようにしたので、仕切板と押込板用ボス部との間での塵芥のつまりを防止することができる。
【図面の簡単な説明】
【００１３】
【図１】摺動板と押込板の接続部を一部破断して示す側面図である。
【図２】本発明の実施形態に係る塵芥投入箱の内部を見えるようにした塵芥収集車の後部を示す側面図である。
【図３】スライダの一部を拡大して示す背面図である。
【図４】スライダを示す側面図である。
【図５】図４のＶ−Ｖ線端面図である。
【図６】スライダを拡大して示す正面図である。
【図７】仕切板及びその周辺を示す背面図である。
【図８】従来技術に係る押込板用ボス部及びその周辺を一部拡大して示す側面図である。
【発明を実施するための形態】
【００１４】
以下、本発明の実施形態を図面に基づいて説明する。
【００１５】
図２は、本発明の実施形態の塵芥投入箱を備えた塵芥収集車１を示し、この塵芥収集車１の車台２上に塵芥収容箱３が搭載されている。塵芥収容箱３の後方開口部４には、その上方で投入箱支持ピン５により軸支された塵芥投入箱６が設けられている。この塵芥投入箱６は、塵芥収容箱３と塵芥投入箱６との間に設けられた図示しない回動シリンダにより、投入箱支持ピン５を中心に回動自在に構成されている。
【００１６】
塵芥投入箱６の後部には投入口６ａが開口され、その内部には塵芥積込装置２０が装備されている。塵芥積込装置２０は、塵芥投入箱６内に投入口６ａを通じて投入された塵芥を圧縮して塵芥収容箱３内に積込むためのものである。
【００１７】
図２に示すように、塵芥投入箱６の両側壁には溝型鋼で形成された案内溝部材８が補強枠を兼ねて前方上方より後方下部に向かって傾斜するように設けられている。塵芥投入箱６内にはその横幅一杯に広がる摺動板９が収容されている。図３〜図６にも示すように、この摺動板９の両側縁の上下に設けた円筒状のローラ用ボス部９ｂには、第１，第２ローラ１０，１１（図２に示す）が回転可能に設けられている。これらの第１，第２ローラ１０，１１は、案内溝部材８の内壁に沿って摺動自在に嵌入されている。
【００１８】
図７に示すように、塵芥投入箱６の前側かつ上側には、案内溝部材８に沿って上下方向に延び、下方に後方開口部４に連通する塵芥押込口７ａを形成する仕切板７が設けられている。この仕切板７には、上下に延びる凹溝７ｂが凹陥されている。
【００１９】
一方、摺動板９の背面上部の左右端部に設けた支持部１８には、図３にも示すように、摺動板支持軸１２が挿通されている。この摺動板支持軸１２が摺動板９の摺動距離に合致して塵芥投入箱６の側壁６ｂに形成された摺動用開口１９を越えて塵芥投入箱６の内側より外側に突出するように配置されている。
【００２０】
塵芥投入箱６の側壁６ｂから外側に突出した摺動板支持軸１２と塵芥投入箱６の下部間には、塵芥投入箱６の外側で案内溝部材８の傾斜方向に沿って設けられた摺動シリンダ１３が連結されている。この摺動シリンダ１３の伸縮作動によって摺動板９を案内溝部材８に沿って上下に往復移動させるようにしている。
【００２１】
図１に拡大して示すように、摺動板９の下端の押込板用ボス部９ａには、塵芥投入箱６の横幅一杯に広がる押込板１５の正面側一端が前後に揺動自在に支持されている。この押込板１５の先端は前方に向かって若干屈折形成されている。押込板１５の背面に突設した接続部１５ａと摺動板９の背面上部に設けられた支持部１８との間には、揺動シリンダ１４が連結され、この揺動シリンダ１４の伸縮作動によって押込板１５を前後に揺動させるようにしている。
【００２２】
図示しないが、塵芥収容箱３内には塵芥収容箱３の横幅及び上下高さと略同じ大きさに形成された排出板が前後方向に摺動自在に配設され、排出シリンダの伸縮動作により塵芥収容箱３内を前後に摺動するようになされていてもよい。
【００２３】
摺動板９は、仕切板７（案内溝部材８）に沿って上下に延び、この仕切板７に対向する前壁２１を有する。前壁２１と仕切板７との間には、摺動板９の上下移動を阻害しない程度に隙間が確保されている。そして、前壁２１の下端には、この前壁２１の延長線よりも下方に向かって前方へ傾斜するように延び、下端が押込板用ボス部９ａの外周に連続する傾斜壁２２が形成されている。傾斜壁２２は、押込板用ボス部９ａの外周の接線上で連続するのが理想的であるが、本実施形態のように接線から多少ずれていてもよい。要は、図８に示した従来技術のように塵芥がつまりやすい隅角部７ａ’ができるだけ形成されないようにするのが重要である。
【００２４】
摺動板９の前壁２１には、仕切板７の凹溝７ｂに嵌まり込む凸条２３が形成されている。この凸条２３の下端は、傾斜壁２２に結合されると共に、押込板用ボス部９ａの外周に結合されている。
【００２５】
このように構成された塵芥積込装置２０は、摺動シリンダ１３及び揺動シリンダ１４がいずれも伸長して摺動板９が上昇終了位置にある状態で、投入口６ａを通して塵芥を塵芥投入箱６内に投入し、図示しない始動スイッチをＯＮ操作することで、積込動作を開始する。
【００２６】
まず、揺動シリンダ１４が縮退作動して押込板１５が反転作動し、反転終了位置に達する（反転工程）。この後、摺動シリンダ１３が縮退作動して摺動板９が下降し、これに伴って押込板１５が下降工程に移行する。次に、押込板１５が下降終了位置に達すると、揺動シリンダ１４を伸長させて押込板１５を前方に揺動させ圧縮工程に移行する。そして、押込板１５が最前方位置まで揺動すると、摺動シリンダ１３を伸長させて押込板１５を上昇させることによって上昇工程に移行し、この押込板１５が上昇終了位置に達すると、一連の積込動作を終了する。これにより反転、下降、圧縮、上昇の各工程を１サイクルとした塵芥積込動作を繰り返して行うことができる。なお本実施形態では、上昇終了位置において、傾斜壁２２が仕切板７の下端と接触しないように設定されている。
【００２７】
そして、摺動板９が上昇終了位置に達したときに、仕切板７の下端と押込板用ボス部９ａの外周との間で塵芥が挟み込まれることがある。
【００２８】
しかし、本実施形態では、摺動板９の前壁２１下端に設けた傾斜壁２２が前壁２１下端と押込板用ボス部９ａの外周とを滑らかに連続させた状態で覆うので、仕切板７下端との間に塵芥が挟み込まれても、その塵芥が押込板用ボス部９ａと仕切板７下端との間につまりにくい。
【００２９】
また本実施形態のように、仕切板７と摺動板９の前壁２１とにそれぞれ凹溝７ｂと凸条２３とを設けた、塵芥が張り付かないようにする構成においても、凸条２３の下端において傾斜壁２２により塵芥のつまりが効果的に防止される。
【００３０】
以上説明したように、本発明の実施形態に係る塵芥積込装置２０によれば、仕切板７と押込板用ボス部９ａとの間での塵芥のつまりを極めて効果的に防止することができる。
【００３１】
（その他の実施形態）
本発明は、上記実施形態について、以下のような構成としてもよい。
【００３２】
すなわち、上記実施形態では、塵芥収集車１に搭載した塵芥積込装置２０について説明したが、脱着式の塵芥収容箱に連設される塵芥積込装置であってもよい。
【００３３】
なお、以上の実施形態は、本質的に好ましい例示であって、本発明、その適用物や用途の範囲を制限することを意図するものではない。
【符号の説明】
【００３４】
１      塵芥収集車
２      車台
３      塵芥収容箱
４      後方開口部
５      投入箱支持ピン
６      塵芥投入箱
６ａ    投入口
６ｂ    側壁
７      仕切板
７ａ    塵芥押込口
７ｂ    凹溝
８      案内溝部材
９      摺動板
９ａ    押込板用ボス部
９ｂ    ローラ用ボス部
１０      第１ローラ
１１      第２ローラ
１２      摺動板支持軸
１３      摺動シリンダ
１４      揺動シリンダ
１５      押込板
１５ａ    接続部
１８      支持部
２０      塵芥積込装置
２１      前壁
２２      傾斜壁
２３      凸条
【図１】
2018122966.tif 000003
【図２】
2018122966.tif 000004
【図３】
2018122966.tif 000005
【図４】
2018122966.tif 000006
【図５】
2018122966.tif 000007
【図６】
2018122966.tif 000008
【図７】
2018122966.tif 000009
【図８】
2018122966.tif 000010